(57)【特許請求の範囲】
【請求項１】
メッセンジャーワイヤーが張架された電柱間にケーブルを延線するためのケーブル延線工具であって、
前記メッセンジャーワイヤーに吊着されるワイヤー吊着部と、
前記ワイヤー吊着部の下方に位置し、前記ワイヤー吊着部に対して揺動可能に取り付けられた本体部と、
前記本体部に取り付けられ、前後方向に貫通して内部に前記ケーブルが挿通されるケーブル把持孔が形成されたケーブル把持部と、
前記本体部の前部を後方に引っ張り、また、前方に押し出す駆動機構とから構成されるケーブル延線工具。
【請求項２】
前記本体部が、前後方向に貫通する貫通孔を有し、
前記駆動機構が、
前記貫通孔内の前記本体部の前部に取り付けられた滑車と、
一端が前記電柱に着脱可能に構成され、前記貫通孔の後端部から挿入されて前記滑車に掛け回され、他端が、前記本体部の後方で且つ斜め下方に導かれた牽引ワイヤーと、
前記牽引ワイヤーの前記他端に取り付けられたハンドルとからなり、
前記ハンドルを後方に引っ張ることにより、前記牽引ワイヤー及び前記滑車により前記本体部を後方に引っ張るように構成された請求項１に記載のケーブル延線工具。
【請求項３】
前記駆動機構が、前記牽引ワイヤーの前記他端と前記ハンドルとの間に、剛性を有する棒状の操作部を有し、
前記操作部により前記本体部を前方に押し出すように構成された請求項２に記載のケーブル延線工具。
【請求項４】
上端が前記ワイヤー吊着部に対して固定され、下端が前記本体部に対して揺動可能に取り付けられ、当該ワイヤー吊着部及び当該本体部を連結する連結部を有し、
前記ワイヤー吊着部の後部の下部にテーパ部が形成された請求項１〜３いずれか一項に記載のケーブル延線工具。
【発明の詳細な説明】
【技術分野】
【０００１】
本発明は、例えば電柱間に延線されるケーブルの延線作業に使用されるケーブル延線工具に関する。
【背景技術】
【０００２】
通信伝送路等のケーブルは、電柱間にメッセンジャーワイヤーを張架し、さらにこのメッセンジャーワイヤーの外周を螺旋状に取り巻き、このメッセンジャーワイヤーに吊着したスパイラルハンガー内に延線されている。このようなスパイラルハンガー内にケーブルを延線する工法としては、スパイラルハンガー内に予め延線用のロープを延線し、さらに、このロープの一端にケーブルを固定した状態で、ロープの他端から車軸ウインチを用いて巻き取る方法（「ウインチ工法」と呼ぶ）と、スパイラルハンガー内のケーブルを作業員が直接手で掴んで引っ張ることにより延線する方法（「手引き工法」と呼ぶ）とが知られている（例えば、特許文献１参照）。
【特許文献１】特許第３３５０６６４号公報
【発明の開示】
【発明が解決しようとする課題】
【０００３】
しかしながら、ウインチ工法の場合、ケーブルを延線する前にスパイラルハンガー内に延線用のロープを予め延線しなければならず、この作業は手引き工法の作業とほぼ同等の労力が必要であり非効率である。また、車軸ウインチを使用するためには、ウインチ車を設置するスペースが必要であり、例えば交通量の多い道路に沿った電柱に対する作業は難しいという課題がある。また、手引き工法の場合、作業員がケーブルを直接手で掴んでケーブルを引くため、作業員が電柱に昇り、不安定な足場状態でケーブルを引く必要がある。そのため、足場が悪く一人の作業員が大きな力を出すことができず、一度に複数の作業員が電柱に昇ってケーブルを引く作業が必要となり、多くの人手を要する。また、作業自体も不安定な状態で行わなければならないという課題がある。
【０００４】
本発明はこのような課題に鑑みてなされたものであり、足場の悪い電柱上で容易に使用することができ、かつ、作業員がケーブルを引っ張る力を効率良く利用することができるケーブル延線工具を提供することを目的とする。
【課題を解決するための手段】
【０００５】
前記課題を解決するために、メッセンジャーワイヤーが張架された電柱間にケーブルを延線するための本発明に係るケーブル延線工具は、メッセンジャーワイヤーに吊着されるワイヤー吊着部と、ワイヤー吊着部の下方に位置し、このワイヤー吊着部に対して揺動可能に取り付けられた本体部と、この本体部に取り付けられ、前後方向に貫通して内部にケーブルが挿通されるケーブル把持孔が形成されたケーブル把持部と、本体部の前部を後方に引っ張り、また、前方に押し出す駆動機構とから構成される。
【０００６】
このような本発明に係るケーブル延線工具において、本体部が、前後方向に貫通する貫通孔を有し、駆動機構が、貫通孔内の本体部の前部に取り付けられた滑車と、一端が電柱に着脱可能に構成され、貫通孔の後端部から挿入されて滑車に掛け回され、他端が、本体部の後方で且つ斜め下方に導かれた牽引ワイヤーと、この牽引ワイヤーの他端に取り付けられたハンドルとからなり、このハンドルを後方に引っ張ることにより、牽引ワイヤー及び滑車により本体部を後方に引っ張るように構成されることが好ましい。
【０００７】
このとき、駆動機構が、牽引ワイヤーの他端とハンドルとの間に、剛性を有する棒状の操作部を有し、この操作部により本体部を前方に押し出すように構成されることが好ましい。
【０００８】
また、このような本発明に係るケーブル延線工具は、上端がワイヤー吊着部に対して固定され、下端が本体部に対して揺動可能に取り付けられ、当該ワイヤー吊着部及び当該本体部を連結する連結部を有し、ワイヤー吊着部の後部の下部にテーパ部が形成されていることが好ましい。
【発明の効果】
【０００９】
本発明に係るケーブル延線工具を以上のように構成すると、駆動機構により本体部を後方に引っ張ると、この本体部がケーブル吊着部に対して下方に揺動し、ケーブル把持孔に挿通されたケーブルがこのケーブル把持孔の前後端と当接することによりこのケーブルがケーブル把持部に把持される。そのため、さらに駆動機構により本体部を後方に引っ張るとメッセンジャーワイヤーに沿って本体部が後方に移動し、ケーブル把持部に把持されたケーブルを後方に引き寄せることができる。反対に駆動機構により本体部を前方に押し出すとケーブル把持部によるケーブルの把持状態が解除されるため、ケーブル及びメッセンジャーワイヤーに対してこのケーブル延線工具を前方に移動させることができる。すなわち、これらの作業を繰り返すことにより、ケーブルを後方に引き寄せることができる。また、このケーブル延線工具を引っ張る動作及び押し出す動作だけでケーブルを延線することができるため、足場の悪い電柱上でも容易に作業を行うことができる。
【００１０】
また、駆動機構を牽引ワイヤーと滑車とにより構成することにより、このケーブル延線工具を引っ張る作業者は、ケーブルを引っ張る力の半分の力で済むためこの作業者の負担を減らすことができる。さらに、駆動機構に操作部を設けることにより、本体部を押し出す操作も簡単に行うことができる。また、牽引ケーブルとハンドルとの間に操作部を設けることにより、メッセンジャーワイヤーから離れた下方からこの本体部を押し出すことができ、ケーブルの延線作業が容易になり、作業者の負担を減らすことができる。
【００１１】
また、ワイヤー吊着部に対して連結部を介して本体部を揺動可能に取り付け、さらに、ワイヤー吊着部の後部の下部にテーパ面を設けることにより、ワイヤー吊着部に対して本体部が揺動したときの、ワイヤー吊着部と本体部との干渉を防止することができる。
【発明を実施するための最良の形態】
【００１２】
以下、本発明の好ましい実施形態について図面を参照して説明する。まず、図１を用いて本発明に係るケーブル延線工具１の構成について説明する。なお、以降の説明においては、図1に示す矢印Ｆの方向を前方とする。このケーブル延線工具１は、ワイヤー吊着部２と、このワイヤー吊着部２の下方に位置し、前後方向に延びる角柱状の本体部３と、上端がワイヤー吊着部２の側面に固定され、下端が本体部３の側面に揺動可能に取り付けられて、これらのワイヤー吊着部２及び本体部３を連結する連結部４と、円筒状に形成され、本体部３の側面に取り付けられたケーブル把持部５と、本体部３を後方に牽引し、また、前方に押し出す駆動機構６とから構成される。
【００１３】
ワイヤー吊着部２は、前後方向に貫通するワイヤー保持孔２ａが形成されると共に、側面に開口するワイヤー挿入口２ｂが形成されており、このワイヤー挿入口２ｂは、ワイヤー保持孔２ａの下部と連通している。このワイヤー保持孔２ａの上部、すなわち、ワイヤー吊着部２の上部２ｃは、図１（ａ）に示すように、このワイヤー吊着部２の上部及び左右壁面で囲まれており、ワイヤー挿入口２ｂから挿入されたメッセンジャーワイヤーＷがこの上部２ｃに保持され、このワイヤー吊着部２がメッセンジャーワイヤーＷに吊着するように構成されている。
【００１４】
本体部３は、前後方向に貫通する貫通孔３ａが形成されており、内部に後述する駆動機構６を形成する滑車６ａが前端側に左右方向に延びる回転軸を中心に回動自在に取り付けられ、ガイドローラ６ｂが後端側に左右方向に延びる回転軸を中心に回動自在に取り付けられている。また、この本体部３の前端側下面には、下方で、かつ、斜め後方に延びるガイド部３ｂが形成されている。さらに、この本体部３の側面に取り付けられたケーブル把持部５は、前後に貫通して延びるケーブル把持孔５ａが形成されている。
【００１５】
駆動機構６は、貫通孔３ａ内に配設された滑車６ａ及びガイドローラ６ｂと、一端が電柱に固定され、貫通孔３ａの後方から挿入され、ガイドローラ６ｂの上部を介して滑車６ａに掛け回された牽引ワイヤー６ｃと、この牽引ワイヤー６ｃの他端（滑車６ａにより後方に折り返されている）に取り付けられた剛性を有する棒状の操作部６ｄと、この操作部６ｄの端部に取り付けられたハンドル６ｅとから構成される。なお、滑車６ａに掛け回された牽引ワイヤー６ｃは、上述のガイド部３ｂ内を通って後方かつ斜め下方に導かれるように構成されている。
【００１６】
それでは、図２〜図４を用いて以上のように構成されたケーブル延線工具１の使用方法について説明する。まず、図２に示すように、ワイヤー吊着部２によりこのケーブル延線工具１をメッセンジャーワイヤーＷに吊着する。また、駆動機構６を構成する牽引ワイヤー６ｃの一端６ｆを電柱Ｐに取り付ける。さらに、電柱間に延線しようとするケーブルＣをケーブル把持部５のケーブル把持孔５ａ内を挿通させる。なお、図２〜図４においては、スパイラルハンガーは省略している。
【００１７】
そして、この状態でハンドル６ｅを後方で且つ斜め下方に引っ張ると、滑車６ａを介して本体部３が下方に引っ張られ、これにより、本体部３が連結部４との枢結点を中心に、この連結部４に対して下方に揺動し、図３に示すように、ワイヤー吊着部２に対して前方で且つ斜め下方に傾斜した状態になる。このとき、ケーブル把持部５も本体部３とともに前方で且つ斜め下方に傾斜するため、ケーブル把持孔５ａ内に挿通されたケーブルＣの前端部Ｃ１がケーブル把持孔５ａの前端上部と当接し、後端部Ｃ２がケーブル把持孔５ａの後端下部と当接する。このようなケーブルＣはある程度の剛性を有するため、これらの当接部Ｃ１，Ｃ２において大きく曲げることはできず、当接部Ｃ１，Ｃ２とケーブル把持孔５ａとの摩擦力によりこのケーブルＣはケーブル把持部５に把持されることになる。
【００１８】
この状態で、さらにハンドル６ｅを後方に引っ張ると、メッセンジャーワイヤーＷに沿ってワイヤー吊着部２が後方に摺動しながら、このケーブル延線工具１が後方に移動し、ケーブル把持部５に把持されたケーブルＣが後方に引き寄せられる。なお、このとき、ハンドル６ｅを引っ張る力は、駆動機構６を構成する牽引ケーブル６ｃが滑車６ａに巻き掛けられているため、ケーブルＣを引っ張る力の半分の力で済む。また、本体部３が前方且つ斜め下方に傾斜しても、この牽引ワイヤー６ｃはガイドローラ６ｂの上部と接触するため、本体部３の貫通孔３ａとこの牽引ワイヤーとが干渉することはない。また、ワイヤー吊着部２の後端側下部にテーパ部２ｄを形成しておくことにより、揺動した本体部３がこのワイヤー吊着部２と干渉するのを防止することができる。
【００１９】
以上のようにしてケーブルＣを後方に引き寄せた後、ハンドル６ｅを前方に戻し、操作部６ｄで本体部３のガイド部３ｂを前方に押すと、図４に示すように、この本体部３が上方に揺動し、ケーブル把持部５もメッセンジャーワイヤーＷに対して略水平に戻り、このケーブル把持部５によるケーブルＣの把持が解除される。そして、さらに、ハンドル６ｅを前方に押しだし、操作部６により本体部３を前方に押し出すと、ワイヤー吊着部２がメッセンジャーワイヤーＷ上を摺動しながら、このケーブル延線工具１が前方に移動するが、ケーブル把持部５はケーブルＣを把持していないため、ケーブル把持部５はこのケーブルＣに対して前方に相対移動する。このように、牽引ケーブル６ｃとハンドル６ｅとの間に剛性を有する棒状の操作部６ｄを設けることにより、メッセンジャーワイヤーＷから離れた下方からこの本体部３を押し出すことができ、ケーブルＣの延線作業が容易になる。
【００２０】
以上説明したように、本実施例に係るケーブル延線工具１を用い、このケーブル延線工具１を後方に引き寄せる動作と、前方に押し出す動作とを繰り返すことにより、ケーブルＣを電柱Ｐ側に引き寄せ、電柱間にこのケーブルＣを延線することができる。上述のように、このケーブル延線工具１を構成する駆動機構６は滑車６ａ及び牽引ケーブル６ｃによりケーブルＣを引っ張る力の半分の力でこのケーブルＣを引き寄せることができるため、作業員の負担を軽減することができる。また、駆動機構６のハンドル６ａを引っ張る操作と、このハンドル６ａを前方に押し出す操作だけでケーブルＣを引き寄せることができるため、足場の悪い電柱上でも容易にケーブルＣを延線することができる。
【図面の簡単な説明】
【００２１】
【図１】本発明に係るケーブル延線工具の構成を示す図であり、（ａ）は正面図であり、（ｂ）は側面図（（ａ）のＩｂ−Ｉｂ断面図）である。
【図２】上記ケーブル延線工具の使用法を説明するための説明図であって、メッセンジャーワイヤーにこのケーブル延線工具を取り付けた状態を示す図である。
【図３】上記ケーブル延線工具の使用法を説明するための説明図であって、ハンドルを引き寄せた状態を示す図である。
【図４】上記ケーブル延線工具の使用法を説明するための説明図であって、ハンドルを押し出した状態を示す図である。
【符号の説明】
【００２２】
１    ケーブル延線工具
２    ワイヤー吊着部
２ｄ  テーパ部
３    本体部
３ａ  貫通孔
４    連結部
５    ケーブル把持部
５ａ  ケーブル把持孔
６    駆動機構
６ａ  滑車
６ｃ  牽引ワイヤー
６ｄ  操作部
６ｅ  ハンドル
Ｗ    メッセンジャーワイヤー
Ｐ    電柱
Ｃ    ケーブル
【図１】
0004919063.tif 000002
【図２】
0004919063.tif 000003
【図３】
0004919063.tif 000004
【図４】
0004919063.tif 000005